(57)【要約】【課題】ユーザが意図した通信端末とだけ通信確立できるようにする。【解決手段】ＩＣタグセンサ１９は、カメラ１０に取り付けられたＩＣタグ２から送信された無線信号を検知する。ＩＣタグリーダ２０は、ＩＣタグセンサ１９の検知した無線信号からＩＣタグ２に予め記録されているカメラ情報を読み出す。読み出されたカメラ情報はＲＡＭ２１に一時的に記憶される。登録ボタン２０９の押下により登録モードへの移行が指示された場合は登録モードに移行する。処理部１７は、ＲＡＭ２１に一時的に記憶されたカメラ情報に含まれる通信可能情報を参照し、カメラ１０の通信インターフェース７６とプリンタ２００の通信インターフェース７７とが通信可能か否かを判断する。通信可能と判断した場合、ＲＡＭ２１に記憶されたカメラ情報に含まれるカメラＩＤをカメラ情報から抽出して記憶部１６に記憶させる。【選択図】  図６
2006203452.tif 000002
【特許請求の範囲】
【請求項１】
通信端末に関する情報を発信する無線発信器、通信を行う第１通信部を有する通信端末と、
前記第１通信部と接続して通信を行う第２通信部、前記無線発信器からの無線信号を受信する無線受信部、前記無線信号から前記通信端末に関する情報を読み取る読取部、前記無線発信器から読み取られた通信端末に関する情報を記憶する記憶部、前記通信端末を登録する登録モードへの移行の指示を受け付ける登録モード移行指示部、前記登録モード移行指示部が前記登録モードへの移行の指示を受け付けた場合に前記登録モードへの移行を決定し、前記読取部により読み取られた通信端末に関する情報を記憶するよう前記記憶部を制御する制御部を有する通信ホストと、
を備える通信システム。
【請求項２】
前記通信端末に関する情報は前記第１通信部と前記第２通信部との通信可能性を示す通信可能情報を含み、
前記制御部は前記読み取られた通信端末に関する情報に含まれる通信可能情報に基づいて前記第１通信部と前記第２通信部とが通信可能か否かを判断し、通信可能と判断した場合に前記無線発信器から読み取られた通信端末に関する情報を記憶するよう前記第１記憶部を制御する請求項１に記載の通信システム。
【請求項３】
前記制御部は前記登録モード移行指示部が前記登録モードへの移行の指示を受け付けない場合に前記通信端末を認証する認証モードへの移行を決定する請求項１又は２に記載の通信システム。
【請求項４】
前記通信端末に関する情報は前記通信端末に固有の識別情報を含み、
前記制御部は前記認証モードへの移行を決定したことに応じて前記読み取られた通信端末に関する情報に含まれる識別情報と前記第１記憶部に記憶された通信端末に関する情報に含まれる識別情報とが一致するか否かを判断し、一致すると判断した場合に前記第１通信部との接続を確立するよう前記第２通信部を制御する請求項３に記載の通信システム。
【請求項５】
前記通信端末は前記記憶部に記憶された識別情報のうち所望の識別情報の選択及び前記選択された識別情報の消去の指示を受け付ける消去指示部をさらに有し、
前記制御部は前記消去指示部が識別情報の選択及び消去の指示を受け付けた場合に前記選択された識別情報を消去するよう前記記憶部を制御する請求項４に記載の通信システム。
【請求項６】
前記通信ホストに設けられた加充電器と前記通信端末に設けられた被充電器とからなる非接触式充電装置をさらに備え、
前記通信端末に関する情報は前記加充電器による前記被充電器の充電可能性を示す充電可能情報を含み、
前記制御部は前記読み取られた通信端末に関する情報に含まれる充電可能情報に基づいて前記被充電器が前記加充電器により充電可能か否かを判断し、充電可能と判断した場合に前記充電を開始するよう前記加充電器を制御する請求項１〜５のいずれかに記載の通信システム。
【請求項７】
前記通信ホストは前記加充電器により充電する電流を可変する電流可変部を有し、
前記通信端末に関する情報は前記被充電器の充電に必要な電流を示す充電情報を含み、
前記制御部は前記読み取られた通信端末に関する情報に含まれる充電情報に基づいて前記加充電器により充電する電流を前記被充電器の充電に必要な電流に可変するよう前記電流可変部を制御する請求項６に記載の通信システム。
【請求項８】
通信端末の有する無線発信器からの無線信号を受信し、前記無線信号から前記通信端末に関する情報を読み取るステップと、
前記通信端末を登録する登録モードへの移行の指示を受け付けるステップと、
前記登録モードへの移行の指示を受け付けた場合に前記無線発信器から読み取られた通信端末に関する情報を記憶するステップと、
を含む通信方法。
【発明の詳細な説明】
【技術分野】
【０００１】
本発明は通信システムに係り、特に通信端末を認証する通信システムに関する。
【背景技術】
【０００２】
従来、ユーザの意図する通信端末とだけ通信確立するための技術が様々開発されている。例えば特許文献１によると、携帯電話機には、パーソナルコンピュータのリーダライタと電磁波により通信する非接触ICカードが設けられている。ユーザが携帯電話機をパーソナルコンピュータに近接させ、リーダライタから輻射される電磁波が、その非接触ICカードにおいて受信されたとき、携帯電話機は、非接触ICカードに設定されているカードIDをパーソナルコンピュータに通知する。パーソナルコンピュータは、携帯電話機とPDAとの間でピコネット内同期を確立し、携帯電話機とPDAのブルートゥースデバイス名を取得したとき、カードIDとして予め通知されているブルートゥースデバイス名に基づいて、携帯電話機を通信相手として特定する。
【特許文献１】特開２００３−３２１７５号公報
【発明の開示】
【発明が解決しようとする課題】
【０００３】
特許文献１の技術では、パーソナルコンピュータに携帯電話機を近接させるだけで通信確立する。即ち、どのような携帯電話機を近づけても、一旦カードＩＤが通知されてしまえば、通信が確立してしまい、携帯電話から意図しない情報がパソコンに流出してしまうという問題が生じうる。本発明はこのような問題点に鑑みてなされたもので、ユーザが意図した通信端末とだけ通信確立できるようにする通信システムを提供することを目的とする。
【課題を解決するための手段】
【０００４】
上記課題を解決するため、本発明に係る通信システムは、通信端末に関する情報を発信する無線発信器、通信を行う第１通信部を有する通信端末と、前記第１通信部と接続して通信を行う第２通信部、前記無線発信器からの無線信号を受信する無線受信部、前記無線信号から前記通信端末に関する情報を読み取る読取部、前記無線発信器から読み取られた通信端末に関する情報を記憶する記憶部、前記通信端末を登録する登録モードへの移行の指示を受け付ける登録モード移行指示部、前記登録モード移行指示部が前記登録モードへの移行の指示を受け付けた場合に前記登録モードへの移行を決定し、前記読取部により読み取られた通信端末に関する情報を記憶するよう前記記憶部を制御する制御部を有する通信ホストと、を備える。
【０００５】
この発明によると、登録モードへの移行の指示があった場合に初めて無線発信器から読み取られた通信端末に関する情報が通信ホストに記憶される。即ち、ユーザが意図した場合に限って情報が登録されることにより、通信端末に関する情報が無差別に登録され、意図しない情報が流出してしまうという問題を防ぐことができる。
【０００６】
前記通信端末に関する情報は前記第１通信部と前記第２通信部との通信可能性を示す通信可能情報を含み、前記制御部は前記読み取られた通信端末に関する情報に含まれる通信可能情報に基づいて前記第１通信部と前記第２通信部とが通信可能か否かを判断し、通信可能と判断した場合に前記無線発信器から読み取られた通信端末に関する情報を記憶するよう前記第１記憶部を制御するようにしてもよい。
【０００７】
前記制御部は前記登録モード移行指示部が前記登録モードへの移行の指示を受け付けない場合に前記通信端末を認証する認証モードへの移行を決定するようにしてもよい。
【０００８】
前記通信端末に関する情報は前記通信端末に固有の識別情報を含み、前記制御部は前記認証モードへの移行を決定したことに応じて前記読み取られた通信端末に関する情報に含まれる識別情報と前記第１記憶部に記憶された通信端末に関する情報に含まれる識別情報とが一致するか否かを判断し、一致すると判断した場合に前記第１通信部との接続を確立するよう前記第２通信部を制御するようにしてもよい。
【０００９】
前記通信端末は前記記憶部に記憶された識別情報のうち所望の識別情報の選択及び前記選択された識別情報の消去の指示を受け付ける消去指示部をさらに有し、前記制御部は前記消去指示部が識別情報の選択及び消去の指示を受け付けた場合に前記選択された識別情報を消去するよう前記記憶部を制御するようにしてもよい。
【００１０】
前記通信ホストに設けられた加充電器と前記通信端末に設けられた被充電器とからなる非接触式充電装置をさらに備え、前記通信端末に関する情報は前記加充電器による前記被充電器の充電可能性を示す充電可能情報を含み、前記制御部は前記読み取られた通信端末に関する情報に含まれる充電可能情報に基づいて前記被充電器が前記加充電器により充電可能か否かを判断し、充電可能と判断した場合に前記充電を開始するよう前記加充電器を制御するようにしてもよい。
【００１１】
前記通信ホストは前記加充電器により充電する電流を可変する電流可変部を有し、前記通信端末に関する情報は前記被充電器の充電に必要な電流を示す充電情報を含み、前記制御部は前記読み取られた通信端末に関する情報に含まれる充電情報に基づいて前記加充電器により充電する電流を前記被充電器の充電に必要な電流に可変するよう前記電流可変部を制御するようにしてもよい。
【００１２】
本発明に係る通信方法は、通信端末の有する無線発信器からの無線信号を受信し、前記無線信号から前記通信端末に関する情報を読み取るステップと、前記通信端末を登録する登録モードへの移行の指示を受け付けるステップと、前記登録モードへの移行の指示を受け付けた場合に前記無線発信器から読み取られた通信端末に関する情報を記憶するステップと、を含む。
【発明の効果】
【００１３】
この発明によると、登録モードへの移行の指示があった場合に初めて無線発信器から読み取られた通信端末に関する情報が通信ホストに記憶される。即ち、ユーザが意図した場合に限って情報が登録されることにより、通信端末に関する情報が無差別に登録され、意図しない情報が流出してしまうという問題を防ぐことができる。
【発明を実施するための最良の形態】
【００１４】
以下、添付した図面を参照し本発明の好ましい実施の形態を説明する。
【００１５】
図１は本発明の好ましい実施形態に係るプリントシステムの正面図である。このプリントシステムは、デジタルカメラ１０とプリンタ２００から構成される。デジタルカメラ１０は、直方体状の筐体を備えたプリンタ２００の上面に備えられた凹ガイド７５に載置することで、凹ガイド７５下部に備えられた後述する通信インターフェース７７によってプリンタ２００と電気的に相互接続し、撮影した画像をプリンタ２００に送信する。カメラ１０とプリンタ２００の間の電気的接続としては、任意のインターフェース、たとえば、ＵＳＢ（ｕｎｉｖｅｒｓａｌ ｓｅｒｉａｌ ｂｕｓ）インターフェース規格、ＩＥＥＥ１３９４インターフェース規格、赤外線通信(IrDA)、Bluetooth、無線ＬＡＮまたは他のケーブル接続や無線接続の規格を利用することができる。PictBridge対応機器やパソコンと接続するポートをプリンタ２００に設け、カメラ以外の各種電子機器とプリンタ２００とを接続して画像データを受信できるようにしてもよい。配線の煩雑さを考慮すると、デジタルカメラ１０とプリンタ２００とは無線接続されることが好ましい。
【００１６】
プリンタ２００の筐体前面には操作ボタンとユーザへの指示警告を行うランプからなる操作部１２が設けられている。操作部１２には、プリントボタン２０１、左ボタン２０２Ｌ、右ボタン２０２Ｒ、画像サイズボタン２０３、画像サイズランプ２０４、画像転送ボタン２０５、充電ランプ２０６、用紙表示ランプ２０７、カートリッジランプ２０８、登録ボタン２０９が設けられている。各ボタン及びランプの詳細は後述する。プリンタ２００の筐体側面にはプリントを排出する用紙排出溝２１０が設けられている。
【００１７】
図２はプリンタ２００の上面図である。プリンタ２００の上面には、カメラ１０の筐体下面に備えられた通信インターフェース７６がプリンタ２００の筐体内部に設けられた通信インターフェース７７と良好に通信できるようにカメラ１０の位置を誘導する凹ガイド７５が設けられている。凹ガイド７５にカメラ１０の通信インターフェース７６が設けられた面を下にして凹ガイド７５に載置するだけでカメラ１０とプリンタ２００とが通信インターフェース７６・７７を介して電気的に接続される。このように、カメラ１０をプリンタ２００に載せるだけでカメラ１０とプリンタ２００とを接続できる規格は「イメージリンク」と呼ばれることがある。
【００１８】
図３はデジタルカメラ１０の機能ブロック図である。まず、同図のデジタルカメラ１０において、中央処理装置（ＣＰＵ）１１２は、レリーズスイッチ２２、モードダイヤル１５０等を含む操作部１１３の各種のボタンやキーからの入力に基づいてデジタルカメラ１０内の各回路を統括制御する。ＣＰＵ１１２の実行するプログラムはＥＥＰＲＯＭ１１９に記憶される。
【００１９】
いま、モードダイヤル１５０によって静止画撮影モードが設定されると、ＣＰＵ１１２は、動画（スルー画）を表示部１１０に表示させ、撮影画角を確認可能にする。即ち、撮像レンズ１４を通過した光は、固体撮像素子１０２ａに入射する。固体撮像素子１０２ａの受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、それぞれ撮像回路１０２ｂに加えられる。
【００２０】
撮像回路１０２ｂは、ゲイン調整回路を含み、得られた画像データは、それぞれ画像処理回路１０８及びハイパスフィルタ（ＨＰＦ）１２５へ送られる。画像処理回路１０８は、Ａ／Ｄ変換部１０８ａ、ホワイトバランス補正回路１０８ｂ、ガンマ補正回路１０８ｃ、ＹＣ処理回路１０８ｄ、輝度・色差信号生成回路、シャープネス補正回路、コントラスト補正回路、撮影画像に対する輪郭補正を含む画像処理を行う輪郭処理部、画像のノイズ低減処理を行うノイズ低減処理部等を含む画像処理手段であり、ＣＰＵ１１２からのコマンドに従って画像信号を処理する。
【００２１】
画像処理回路１０８に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００２２】
一方、撮像回路１０８のＡ／Ｄ変換部１０８ａでデジタル信号に変換された画像データは、ハイパスフィルタ（ＨＰＦ）１２５でＧ画素成分のみ抽出される。そして、積算処理部１２６で抽出されたＧ画素成分に積算処理が施されてＣＰＵ１１２に送られる。ＣＰＵ１１２は、積算処理部１２６から送られた１画面分の６４分割の画像データの内、十字キー８１で任意に設定された被写体中心付近の４エリアの平均値を算出し、これをオートフォーカス（ＡＦ）評価値とする。ＡＦ評価値は、所定周期の経過毎に算出され、算出の度にメモリ１２７に更新記憶される。ＣＰＵ１１２は、ＡＦ評価値に従って被写体の合焦を判定する。その判断方法は任意であるが、例えばＡＦ評価値が極大点の近傍に略到達しているか否かを判断し、極大点に略達している場合は合焦していると判断し、その他の場合は合焦していないと判断する。あるいは、ＡＦ評価値が所定の閾値を超えていれば合焦していると判断することもできる。
【００２３】
撮影画像を表示部１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して表示部１１０に出力する。表示部１１０の駆動はドライバ１１１を介して行われる。
【００２４】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１１０に供給されることにより、撮像中の映像がリアルタイムに表示部１１０に表示される。ユーザは、表示部１１０に表示される映像（スルー）によって撮影画角を確認できる。
【００２５】
ここで、レリーズスイッチ２２が半押しされると、ＡＥ及びＡＦ処理が開始される。ＡＥ／ＡＦ処理が行われ、レリーズスイッチ２２が全押しされることによって記録用の撮影動作がスタートする。レリーズスイッチ２２全押しに応動して取得された画像データは画像処理回路１０８において輝度／色差信号（Ｙ／Ｃ信号）に変換され、ガンマ補正等の所定の処理が施された後、ＶＲＡＭ１３２に格納される。
【００２６】
ＶＲＡＭ１３２に格納されたＹ／Ｃ信号は、圧縮伸長処理回路１４４によって所定のフォーマットに従って圧縮された後、メディアコントローラ１４６を介して記録媒体４０にExif（Exchangeable Image File Format）ファイルとして記録される。画像はExifファイルのデータ部分に記録される。ＣＰＵ１１２は上記Exifファイルのヘッダ部分の所定のタグ（Imagedescriptionタグなど）に撮影日時情報などを記録する。記録された画像は、通信インターフェース７６を介して接続されたプリンタ２００に送信することもできる。プリンタ２００は、受信した画像をプリントする。
【００２７】
ＣＰＵ１１２には、キセノン管からなるストロボ１８の発光を制御するストロボ制御回路１１５も接続されており、静止画撮影において、低照度であることが検出された場合や、ストロボボタンによって発光が指示された場合や、強制発光モードが設定された場合にタイミングジェネレータ１２０によって発生されたタイミング信号に同期したタイミングで短時間（例えば１秒以上の短時間）発光するようにストロボ１８を制御する。
【００２８】
モードダイヤル１５０によって動画撮影モードが設定されたときには、レリーズスイッチ２２の全押し操作に連動して動画記録動作がスタートし、もう一度レリーズスイッチ２２を押下すると動画記録動作が停止する。レリーズスイッチ２２を押下継続している期間、録画動作を行い、押下解除によって録画を停止するようにしてもよい。動画データは、例えばモーションＪＰＥＧ（ＭＰＥＧ）形式によって記録媒体４０に記録される。
【００２９】
モードダイヤル１５０により再生モードが選択されると、記録媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のＲＧＢカラー複合映像信号を作成し、これを表示部１１０に出力する。これにより、表示部１１０には記録媒体４０に記録されている最終コマのコマ画像が表示される。
【００３０】
その後、十字キー８１の右キーが押されると、順方向にコマ送りされ、十字キー８１の左キーが押されると、逆方向にコマ送りされる。そして、コマ送りされたコマ位置の画像ファイルが記録媒体４０から読み出され、上記と同様にしてコマ画像が表示部１１０に再生される。尚、最終コマのコマ画像が表示されている状態で順方向にコマ送りされると、記録媒体４０に記録されている１コマ目の画像ファイルが読み出され、１コマ目のコマ画像が表示部１１０に再生される。
【００３１】
表示部１１０は、カメラ１０に内蔵されたＬＣＤ１１４、ファインダー又は映像出力端子等に接続された外部の表示装置に相当する。なお、ＣＰＵ１１２は、ＯＳＤ信号発生回路を含み、ＯＳＤ信号発生回路はシャッター速度や絞り値、撮影可能枚数、撮影日時、警告指示等の文字及びアイコン等の記号を表示するための信号を発生させる。このＯＳＤ信号発生回路から出力される信号は、必要に応じて画像信号に混合されて、ＬＣＤ１１４に供給される。これにより、スルー画像や再生画像に文字やアイコン等が合成された合成画像が表示される。
【００３２】
記録媒体４０は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００３３】
ＣＰＵ１１２は、カメラ１０の各回路を統括制御する制御回路であり、レリーズスイッチ２２、十字キー８１、電源スイッチ８２、モードダイヤル１５０、情報位置指定キー８３あるいは図示しないストロボボタン、ズームキー、メニュー／実行ボタンその他を含む操作部１１３から受信する信号に基づき、対応する回路の動作を制御するとともに、表示部１１０における表示制御、ストロボ発光制御、オートフォーカス（ＡＦ）制御及び自動露出（ＡＥ）制御等を行う。
【００３４】
カメラ１０の電源が電源スイッチ８２でオンされる度に、カメラボディ内部に装着される電池からなる主要電源１６４から、デジタルカメラ１０の各回路に電源が供給される。
【００３５】
画像処理回路１０８からの画像データは、測光処理部１５７にも送られる。この測光処理部１５７は、外光の光量を測定する手段の一例である。測光処理部１５７は、入力される各画像データと、固体撮像素子１０２ａの電荷蓄積時間、すなわち電子シャッタのシャッタ秒時とに基づいて被写体輝度の測光値（ＥＶ値）を算出する測光値算出部により構成できる。これにより、固体撮像素子１０２ａの駆動が調節される。なお、電子シャッタのシャッタ秒時とともに絞り値を変化させてもよい。絞り値を変化させる場合には、絞り値を加味して被写体輝度に応じた測光値を算出する。このように、測光処理部１５７は、固体撮像素子１０２ａを受光センサとしてＴＴＬ（Through The Lens) 測光方式によって被写体の明るさ（被写体輝度）を検出する。測光処理部１５７は、フォトトランジスタで構成された測光センサであってもよく、測光が可能な手段であれば特に限定されない。
【００３６】
通信インターフェース７６は、プリンタ２００の通信インターフェース７７と接続可能であり、ＣＰＵ１１２からのコマンドに従い、データの送受信を行う。
【００３７】
カメラ１０の電源は、充電式電池１６５から電源回路１６４を介して供給される。電池１６５は被充電器１６６と接続されており、被充電器１６６とプリンタ２００に設けられた加充電器７８とが対になって非接触式充電器が構成される。被充電器１６６は、プリンタ２００に設けられた加充電器７８の１次コイルから発生する磁束を受ける２次コイルを備えており、この２次コイルから電流が発生し、電池１６５に充電される。電池１６５への充電の進行状況は充電ランプ２０６によって表示される。
【００３８】
カメラ１０には、カメラ１０に関する各種の情報（以下カメラ情報という）を記憶したＩＣタグ２が取り付けられている。このカメラ情報は、カメラ１０の機種情報、カメラ１０に割り当てられた固有の識別情報（例えばシリアル番号。以下カメラＩＤという）を含んでいる。また、カメラ情報は、カメラ１０が加充電器７８によって充電可能である充電可能情報と、カメラ１０の充電に必要な電流値を示す充電情報を含んでいる。
【００３９】
図４はＩＣタグ２に記憶されたカメラ情報を概念的に説明する。カメラ情報は、機種情報、カメラＩＤ、充電可能情報、充電情報を含んでいるが、ＩＣタグ２の記憶容量の範囲内であればその他の各種情報を含んでいてもよい。逆に、ＩＣタグ２の記憶容量が小さければ、カメラＩＤのみをＩＣタグ２に記憶させておき、カメラＩＤを引数にして機種情報、充電可能情報、充電情報を特定してもよい。こうすればＩＣタグ２のコストが下がる。
【００４０】
図５はプリンタ２００の構成を示すブロック図である。プリンタ２００は、通信インターフェース７７と、操作部１２と、プリント物を印刷するプリント出力部１３と、画像サイズランプ２０４ａ〜ｄ、充電ランプ２０６、用紙表示ランプ２０７、カートリッジランプ２０８からなる表示部１５、処理部１７の実行するプログラム、データ並びにフレームなどの付帯画像等を書き換え可能に保持記憶するメモリ（フラッシュメモリなど）で構成された記憶部１６と、各部の制御及び各種演算を行う処理部１７と、データを一時的に記憶するＲＡＭ２１を備えている。
【００４１】
また、プリンタ２００は、アンテナ１８を備えたＩＣタグセンサ１９とＩＣタグリーダ２０が設けられている。ＩＣタグセンサ１９は、カメラ１０に取り付けられたＩＣタグ２から送信された無線信号を検知する。ＩＣタグリーダ２０は、ＩＣタグセンサ１９の検知した無線信号からＩＣタグ２に予め記録されているカメラ情報を読み出す。読み出されたカメラ情報はＲＡＭ２１に一時的に記憶される。
【００４２】
なお、ＩＣタグセンサ１９が複数のＩＣタグ２から無線信号を検知する場合があるならば、ポーリング等を用いて混信を防止することが考えられる。
【００４３】
また、プリンタ２００は、１次コイルから磁束を発生する加充電器７８、加充電器７８により充電する電流を可変する電流可変部７９を備えている。電流可変部７９の電流の変化は処理部１７により制御される。加充電器７８は、カメラ１０が凹ガイド７５に載置されたときにカメラ１０底面に設けられた被充電器１６６と相対し、磁束による非接触充電に適した位置に設置されている。
【００４４】
カメラ１０がプリンタ２００の凹ガイド７５に載置されて互いに接続されると、カメラ１０はプリントモードに移行し、記録媒体４０に記憶された各画像のサムネイル画像を表示部１１０に表示する。ユーザは、十字キー８１により、プリンタ２００でプリントすべき画像のサムネイル画像を選択する。十字キー８１によるサムネイル画像の選択が確定すると、カメラ１０は、選択されたサムネイル画像に対応する本画像の画像データを記録媒体４０から読み出し、通信インターフェース７６経由でプリンタ２００に送信する。通信インターフェース７７は、デジタルカメラ１０から送信された画像データを受信する。受信した画像はＲＡＭ２１に記憶される。
【００４５】
処理部１７は、プリントボタン２０１の押下に応じ、受信した画像データに従ってプリント出力用の画像データを生成する。以下、このプリント出力用の画像データをプリントデータといい、プリントデータを作成する処理をプリントデータ処理という。プリントデータは、プリント出力部１３に送信され、プリント出力部１３は印画動作を実行しプリントをプリント排出口２１０から出力する。印画方式については特に限定されず、印画紙自体が熱によって発色するサーモ・オートクローム（ＴＡ）方式、インク滴をノズルによって印画紙に吹きつけるインクジェット方式など、種々の方式が可能である。
【００４６】
プリントする画像のサイズは、フルサイズ、２分割、４分割、９分割のいずれかを画像サイズボタン２０３によって適宜指定でき、フルサイズ、２分割、４分割、９分割のいずれかが選択されると、対応する画像サイズランプ２０４ａ〜ｄのいずれかが点灯する。
【００４７】
次に、図６のフローチャートに基づき、本実施形態のプリントシステムにおけるカメラ１０とプリンタ２００との通信確立までの動作を説明する。
【００４８】
まず、カメラ１０が凹ガイド７５に載置されてプリンタ２００に設けられたＩＣタグセンサ１９の通信範囲内に入ると、ＩＣタグ２から無線信号を検知する（Ｓ１）。無線信号が検知されると、ＩＣタグ２のカメラ情報が読み出されてＲＡＭ２１に一時的に記憶される（Ｓ２）。この後、処理部１７は、登録モードへの移行の指示が入力されるのを待機する。登録モードとは、ＲＡＭ２１に一時的に記憶されたカメラ情報を記憶部１６に記憶することでカメラ１０を通信可能な相手方端末として本登録するための動作モードである。登録モードへの移行が指示された場合はＳ４の登録モードに移行し、指示されない場合はＳ５の認証モードに移行する。登録モードへの移行の指示は登録ボタン２０９の押下により入力されるが、これに限らず、プリンタ２００と接続されたパソコンなどから登録モードへの移行を指示するコマンドを入力することなどにより行ってもよい。
【００４９】
図７は登録モードの流れを示すフローチャートである。
【００５０】
Ｓ１１では、処理部１７は、ＲＡＭ２１に一時的に記憶されたカメラ情報に含まれる通信可能情報を参照し、カメラ１０の通信インターフェース７６とプリンタ２００の通信インターフェース７７とが通信可能か否かを判断する。通信可能と判断した場合はＳ１２へ移行し、通信可能でないと判断した場合は登録モードを終了してＳ５の認証モードに移行する。
【００５１】
Ｓ１２では、処理部１７は、ＲＡＭ２１に一時的に記憶されたカメラ情報に含まれるカメラＩＤをカメラ情報から抽出して記憶部１６に記憶させる。これにより、プリンタ２００の電源が切断されてもカメラＩＤが書き換え可能に保持記憶される。なお、カメラＩＤはカメラ１０ごとに固有であるから、異なる複数のカメラＩＤをそれぞれ記憶部１６に記憶させることもできる。
【００５２】
なお、一旦記憶部１６に記憶されたカメラＩＤを消去できるようにしてもよい。例えば、記憶部１６に記憶されたカメラＩＤをプリンタ２００からカメラ１０に送信し、カメラ１０の表示部１１０で一覧表示させる（図８参照）。機種情報もあわせて表示してもよい。カメラ１０は、一覧表示されたカメラＩＤのうち所望のカメラＩＤを操作部１１３の所定操作（例えば十字キー８１の押下）で選択させ、かつ選択したカメラＩＤの消去が操作部１２の所定操作（例えば情報位置指定キー８３の押下）により指示された場合、カメラ１０は、選択されたカメラＩＤをプリンタに通知する。処理部１７は、通知されたカメラＩＤを記憶部１６から消去する。
【００５３】
図９は認証モードの流れを示すフローチャートである。
【００５４】
Ｓ２１では、ＲＡＭ２１に一時的に記憶されたカメラ情報に含まれるカメラＩＤと記憶部１６に記憶されたカメラＩＤとが一致するか否かを判断する。一致すると判断した場合はＳ２２に移行し、一致しないと判断した場合は認証モードを終了する。なお、一致しないと判断した場合にＳ２３に移行してもよい。
【００５５】
Ｓ２２では、通信インターフェース７６と通信インターフェース７７との通信を確立する。これにより、登録モードで登録した特定のカメラ１０と通信し、カメラ１０から送信された画像をプリンタ２００で受信できる状態となる。
【００５６】
Ｓ２３では、ＲＡＭ２１に記憶されたカメラ情報に含まれる充電可能情報に基づき、被充電器１６６が加充電器７８により充電可能であるか否かを判断する。充電可能と判断した場合はＳ２４に移行し、充電可能でないと判断した場合は認証モードを終了する。
【００５７】
Ｓ２４では、加充電器７８による充電を開始する。充電の進行状況は充電ランプ２０６により表示される。充電可能情報に基づいて充電を開始すれば、正規の被充電機器以外の機器やコインなどの金属が凹ガイド７５に置かれ、電磁誘導により電流が流れてしまい、機器が破壊したりコインが加熱したりする危険を防ぐことができる。
【００５８】
なお、ＲＡＭ２１に記憶されたカメラ情報に充電情報が含まれる場合、処理部１７はこの充電情報に基づいて加充電器７８により充電する電流を被充電器１６６の充電に必要な電流に可変するよう電流可変部７９を制御する。こうすることで充電に不要な電流が消費されるのを防げる。
【図面の簡単な説明】
【００５９】
【図１】本発明の好ましい実施形態に係るプリントシステムの正面図
【図２】プリンタの上面図
【図３】デジタルカメラのブロック図
【図４】カメラ情報の概念説明図
【図５】プリンタのブロック図
【図６】通信確立までの動作の流れを示すフローチャート
【図７】登録モードにおけるプリンタの動作の流れを示すフローチャート
【図８】カメラＩＤの一覧表示を示す図
【図９】認証モードにおけるプリンタの動作の流れを示すフローチャート
【符号の説明】
【００６０】
２：ＩＣタグ、１０：カメラ、１６：記憶部、１９：ＩＣタグセンサ、２０：ＩＣタグリーダ、７６・７７：通信インターフェース、７８：加充電器、７９：電流可変部、１６６：被充電器、２００：プリンタ、２０９：登録ボタン
【図１】
2006203452.tif 000003
【図２】
2006203452.tif 000004
【図３】
2006203452.tif 000005
【図４】
2006203452.tif 000006
【図５】
2006203452.tif 000007
【図６】
2006203452.tif 000008
【図７】
2006203452.tif 000009
【図８】
2006203452.tif 000010
【図９】
2006203452.tif 000011